(57)【特許請求の範囲】
【請求項１】
カップ部を有する衣類であって、
一対のカップ部、カップ支持部およびバック部を含み、
前記カップ支持部は、前記一対のカップ部の下縁部に配置され、
前記バック部は、バック部上辺を形成する上側部材と、バック部下辺を形成する下側部材とを有し、
前記上側部材および前記下側部材は、それぞれが前記カップ支持部の脇側に取り付けられ、
前記上側部材と前記下側部材とは、
少なくとも前記上側部材の下辺縁部と前記下側部材の上辺縁部とが摺接しつつ変位可能に重なり合う重なり部を有し、且つ、
少なくとも前記カップ支持部への取り付け位置付近において、前記重なり部の上側および下側に、前記上側部材と前記下側部材とが互いに重なり合わない非重なり部がそれぞれ配置され、
前記カップ支持部への取り付け位置において、前記上側部材の下辺縁部は、前記下側部材の下辺縁部と重ならないことを特徴とする、カップ部を有する衣類。
【請求項２】
前記下側部材は、前記上側部材の肌側に配置されていることを特徴とする、請求項１記載のカップ部を有する衣類。
【請求項３】
前記下側部材は、前記上側部材よりも伸縮性が高いことを特徴とする、請求項１または２記載のカップ部を有する衣類。
【請求項４】
前記上側部材と前記下側部材とは、少なくとも前記重なり部の背中心側端部で互いに固着されている固着部を有することを特徴とする、請求項１から３のいずれか一項に記載のカップ部を有する衣類。
【請求項５】
さらに、肩ストラップを有し、
前記肩ストラップは、前記一対のカップ部のそれぞれの上辺と前記バック部とを連結しており、
前記上側部材と前記下側部材との固着部は、前記肩ストラップのバック部との連結部よりも脇側に設けられていることを特徴とする、請求項４記載のカップ部を有する衣類。
【請求項６】
前記衣類が、ブラジャーである、請求項１から５のいずれか一項に記載のカップ部を有する衣類。
【発明の詳細な説明】
【技術分野】
【０００１】
本発明は、カップ部を有する衣類に関する。
【背景技術】
【０００２】
従来、ブラジャー等のカップ部を有する衣類については、スポーツ等の激しい動きをともなう場合に限られず、日常の動きの中で、ずり上がり等の着くずれが生じるという問題があった。そこで、着くずれを防止するための技術として、例えば、バック布の少なくとも左右の肩甲骨の下方部分を長さ方向に分割してスリットを設けることで、バック布を肩甲骨下方部分の動きに追従可能にする技術が提案されている（特許文献１参照）。
【先行技術文献】
【特許文献】
【０００３】
【特許文献１】特開２００３−３２８２０７号公報
【発明の概要】
【発明が解決しようとする課題】
【０００４】
しかし、前記技術では、バック布にスリットを設けるとバック布自体の幅が狭くなるため、バック布による締めつけ力が十分に得られず、バストの造形力が低下しやすかった。また、肩ストラップを設け、肩ストラップでカップ部を引き上げてバストの造形性を向上させる構成の場合には、肩ストラップの引き上げ力によってバック布に設けたスリットが広がってしまうため、肩ストラップでカップ部を引き上げることができず、造形力を保つことが困難であった。
【０００５】
そこで、本発明は、ずり上がりの防止と造形力の保持との両立を可能にする、カップ部を有する衣類を提供することを目的とする。
【課題を解決するための手段】
【０００６】
前記目的を達成するために、本発明のカップ部を有する衣類は、
カップ部を有する衣類であって、
一対のカップ部、カップ支持部およびバック部を含み、
前記カップ支持部は、前記一対のカップ部の下縁部に配置され、
前記バック部は、バック部上辺を形成する上側部材と、バック部下辺を形成する下側部材とを有し、
前記上側部材および前記下側部材は、それぞれが前記カップ支持部の脇側に取り付けられ、
前記上側部材と前記下側部材とは、少なくとも前記上側部材の下辺縁部と前記下側部材の上辺縁部とが摺接しつつ変位可能に重なり合う重なり部を有し、
前記重なり部の上側および下側に、前記上側部材と前記下側部材とが互いに重なり合わない非重なり部がそれぞれ配置（形成）されていることを特徴とする。
【発明の効果】
【０００７】
本発明によれば、バック部が上側部材および下側部材の２つの部材で構成され、前記上側部材および前記下側部材がそれぞれ着用者の動きに追随するため、ずり上がりを防止することができる。また、本発明によれば、バック部による締めつけ力を十分に得ることができるため、バストの造形力を保つことができる。
【図面の簡単な説明】
【０００８】
【図１】図１は、本発明のカップ部を有する衣類の一例である、第１の実施形態に係るブラジャーの斜視図である。
【図２】図２は、前記第１の実施形態に係るブラジャーのバック部を構成する部材の図である。
【図３】図３は、前記第１の実施形態に係るブラジャーのバック部付近の背面図である。
【図４】図４は、前記第１の実施形態に係るブラジャーの変形例を示す図である。
【図５】図５は、前記第１の実施形態に係るブラジャーの変形例を示す図である。
【図６】図６は、本発明のカップ部を有する衣類の一例である、第２の実施形態に係るブラジャーを示す図である。図６（ａ）は、バック部の拡大図、図６（ｂ）は、上側部材の図、図６（ｃ）は、下側部材の図である。
【図７】図７は、本発明のカップ部を有する衣類の一例である、第３の実施形態に係るブラジャーの斜視図である。
【図８】図８は、本発明のカップ部を有する衣類の一例である、第４の実施形態に係るブラジャーの背面図である。
【図９】図９（ａ）（ｂ）は、伸び運動およびねじり運動をした際の皮膚の伸びに関する人体情報を示す図である。
【図１０】図１０（ａ）（ｂ）は、前記第１の実施形態に係るブラジャーの着用状態を示す図である。
【発明を実施するための形態】
【０００９】
本発明者は、ブラジャー等のずり上がりの原因を解明するため、鋭意研究を行った。その結果、脇の下付近の皮膚が、非常に伸び易いことが判明した。図９は、皮膚の伸びに関する人体情報を示す図である。図９に示す格子状のラインは、皮膚の伸びを説明するために表わしたものである。例えば、図９（ａ）に示すように、伸び運動をした場合、脇の下付近の皮膚が上方向に大きく伸びる。また、例えば、図９（ｂ）に示すように、ねじり運動をした場合、脇の下付近の皮膚は横方向に伸び、脇に近い箇所ほど伸びる率が大きくなる。このような、上方向および横方向への皮膚の伸びにバック部が追随できないことが、着くずれの原因であることがわかった。そして、バック部において着くずれが生じると、肩ストラップなどその他の箇所もずれるため、バック部をしっかりと安定させることが着くずれを防止する上で重要であることがわかった。そこで、本発明者は、バック部を２つの部材で構成し、上側部材と下側部材とが、それぞれの箇所の皮膚の伸びに応じて追随可能にすることで、着くずれを効果的に防止できることを確認し、本発明を完成するに至った。
【００１０】
本発明のカップ部を有する衣類について、例をあげて説明する。ただし、本発明は、以下の例に限定および制限されない。
【００１１】
（第１の実施形態）
図１から図３に、本発明のカップ部を有する衣類の第１の実施形態に係るブラジャー１００を示す。図１は、ブラジャー１００の斜視図、図２は、バック部を構成する部材の図、図３は、バック部付近を背面側から見た図である。
【００１２】
図１に示すように、本実施形態のブラジャー１００は、一対のカップ部１０１、カップ支持部１０２、バック部１０３および一対の肩ストラップ１０４を備えたいわゆる３／４カップタイプのブラジャーである。カップ支持部１０２は、一対のカップ部１０１の下縁部に配置されている。本実施形態において、バック部１０３は、バック部１０３の上辺を形成する上側部材１０３Ａと、バック部１０３の下辺を形成する下側部材１０３Ｂとを有する。ここで、「上」「下」とは、着用時における上下方向を意味する。上側部材１０３Ａおよび下側部材１０３Ｂは、それぞれがカップ支持部１０２の脇側に取り付けられている。本実施形態では、上側部材１０３Ａおよび下側部材１０３Ｂは、カップ支持部１０２に直接取り付けられているが、本発明はこれに限られず、土台部の脇側に取り付けられていてもよい。
【００１３】
図２に、本実施形態においてバック部１０３を構成する、上側部材１０３Ａおよび下側部材１０３Ｂの拡大図を示す。本実施形態において、上側部材１０３Ａは、バック部１０３の上辺を形成し、下側部材１０３Ｂは、バック部１０３の下辺を形成する。
【００１４】
本実施形態において、上側部材１０３Ａの下辺縁部と下側部材１０３Ｂの上辺縁部とは、摺接しつつ変位可能に重なり合っている。「摺接しつつ変位可能」とは、上側部材１０３Ａと下側部材１０３Ｂとが、互いに重なっている部分をすべるように、上下方向または左右方向に動くことが可能であることをいう。上側部材１０３Ａと下側部材１０３Ｂとが重なり合っている重なり部１０５を、図１に斜線で示す。本実施形態において、上側部材１０３Ａと下側部材１０３Ｂとは、カップ支持部１０２側から背中心側に向かうに従いバック部１０３の幅が狭くなるにつれて、重なりが大きくなっている。ここで、「背中心」とは、本例のブラジャーを着用者が着用したときに、着用者の背中の幅の中央付近となる位置をいう。重なり部１０５の上側および下側には、上側部材１０３Ａと下側部材１０３Ｂとが互いに重なり合っていない、非重なり部１０６がそれぞれ配置されている。そして、少なくとも肩ストラップ１０４のバック部１０３との連結部の位置から連結係止部１０７に至るまでの領域では、上側部材１０３Ａと下側部材１０３Ｂとは、両者の上辺縁部同士および下辺縁部同士が完全に重なっている。
【００１５】
本実施形態において、上側部材１０３Ａと下側部材１０３Ｂとは、重なり部１０５の背中心側端部Ｕから、両者の上辺縁部同士および下辺縁部同士が完全に重なっている領域において、互いに固着されている（固着部１０９）。本実施形態では、上側部材１０３Ａと下側部材１０３Ｂとは、それぞれの上辺縁部同士および下辺縁部同士を重ねて縫着することによって、固着されている。そして、固着部１０９以外では、上側部材１０３Ａと下側部材１０３Ｂとは、互いに固着されていない。
【００１６】
なお、固着部１０９は、固着部１０９の全周縁部分を固着するようにしても良いし、固着部１０９の上辺縁及び下辺縁だけ固着するようにしてもよい。また、重なり部１０５の背中心側端部Ｕのみ固着するようにしてもよい。また、本実施形態では、上側部材１０３Ａおよび下側部材１０３Ｂは、固着部１０９において完全に重なっているが、下記変形例に示すように、背中心に至るまで、上側部材の下辺縁部および下側部材の上辺縁部のみが互いに重なっている態様であってもよい。
【００１７】
また、本実施形態では、固着部１０９以外の重なり部１０５では、上側部材１０３Ａと下側部材１０３Ｂとが固着されていない例を挙げているが、本発明はこれに限定されるものではない。本発明は、上側部材１０３Ａと下側部材１０３Ｂとが摺接しつつ変位可能であればよく、例えば、図４に示すように、重なり部１０５において部分的に上側部材１０３Ａと下側部材１０３Ｂとを固着する、いわゆる箇所留めＷを施すようにしても良い。この場合には、上側部材１０３Ａと、下側部材１０３Ｂとを摺接しつつ変位可能としながら、上側部材１０３Ａと下側部材１０３Ｂとの相対的な変位幅を適度に規制することができる。
【００１８】
本実施形態のように、肩ストラップを有する態様の場合、上側部材と下側部材との固着部は、肩ストラップのバック部との連結部よりも脇側に設けられていることが好ましい。図３に、本実施形態における肩ストラップ１０４のバック部１０３との連結部の位置をＳ、前記連結部の位置Ｓよりも脇側の領域を斜線で示す。本実施形態では、上側部材１０３Ａと下側部材１０３Ｂとは、重なり部１０５の背中心側端部Ｕから、前記連結部の位置Ｓよりも脇側の領域にある位置Ｔまでの領域において、互いに固着されている。このように、前記連結部の位置Ｓよりも脇側の位置Ｔにおいて上側部材１０３Ａと下側部材１０３Ｂとが固着されていることにより、肩ストラップ１０４の引き上げによって上側部材１０３Ａのみが引き上げられることがないため、肩ストラップ１０４の引き上げ力をバック部１０３およびカップ部１０１に伝えることができ、造形性を保つことができる。ただし、本発明はこれに限られず、例えば、ストラップレスタイプのブラジャーの場合、上側部材および下側部材の重なり部の背中心側端部が背中心に該当する箇所にあり、当該端部のみで互いに固着されていてもよい。
【００１９】
図１０に、ブラジャー１００の着用状態の図を示す。図１０（ａ）は、ブラジャー１００を着用して伸び運動をした時の図、図１０（ｂ）は、ブラジャー１００を着用してねじり運動をした時の図である。図１０（ａ）に示すように、着用者が腕を上げるなどの伸び運動をした時には、上側部材１０３Ａが、重なり部１０５を上方向にスライドして皮膚の伸びに追随する。また、図１０（ｂ）に示すように、着用者がねじり運動をした時には、上側部材１０３Ａおよび下側部材１０３Ｂが、それぞれの箇所の皮膚の伸びに応じて、重なり部１０５を横方向にスライドして皮膚の伸びに追随する。このように、上側部材１０３Ａおよび下側部材１０３Ｂは、摺接しつつ変位可能に重なっているため、皮膚の伸びに追随することができる。そして、重なり部１０５をスライドすることにより、両者が皮膚の伸びに追随する際の動きがスムーズになる。
【００２０】
上側部材１０３Ａと下側部材１０３Ｂとは、着用時における体側面にあたる箇所では、容易に変位可能であることが好ましい。これにより、動きによる皮膚の伸びの大きい体側面において、上側部材１０３Ａおよび下側部材１０３Ｂが、それぞれ、皮膚の伸びに追随することができる。容易に変位可能である態様の例としては、前記体側面にあたる箇所では、上側部材と下側部材とが固着されていない態様があげられる。また、商品の仕様によっては、変位幅が広くなりすぎるのを規制するための箇所留めが施されていてもよい。
【００２１】
本実施形態において、下側部材１０３Ｂは、上側部材１０３Ａの肌側に配置されている。前述のとおり、体の側面において、脇に近い部分ほど皮膚の伸びが大きい。そのため、バック部１０３の上辺を形成している上側部材１０３Ａの方が、下側部材１０３Ｂよりも動きが大きくなる。そこで、上側部材１０３Ａが肌と反対側にある方が、皮膚に追随して動く際のすべりが良くなり、好ましい。また、着用感の観点からも、皮膚に追随して大きく動く上側部材１０１Ａの下辺縁部が、肌と直接触れない方が好ましい。ただし、本発明はこれに限られず、上側部材が、下側部材の肌側に配置されてもよい。
【００２２】
重なり部１０５および非重なり部１０６の面積は、特に制限されないが、カップ支持部１０２への取り付け位置付近において、上側部材１０３Ａの下辺縁部は、下側部材１０３Ｂの下辺縁部と重ならないことが好ましい。カップ部支持部１０２への取り付け位置付近において、上側部材１０３Ａの下辺縁部と下側部材１０３Ｂの下辺縁部とが近付き過ぎると、上側部材１０３Ａの動きが小さくなり、上側部材１０３Ａの皮膚の伸びへの追随性が低くなってしまう。また、重なり部１０５は、カップ支持部１０２から着用時における体側面にあたる領域までを覆うように設けられていることが好ましい。
【００２３】
上側部材１０３Ａおよび下側部材１０３Ｂに使用される素材は、特に制限されない。上側部材１０３Ａと下側部材１０３Ｂとで、異なる素材を使用してもよい。例えば、バック部１０３の下辺を形成する下側部材１０３Ｂには、着用安定感を高めるため、上側部材１０３Ａよりも伸縮性が高い素材を使用することが好ましい。上側部材１０３Ａに使用される素材は、例えば、パワーネット、トリコット、ダブルラッセル等の経編地、フリーカット素材、レース編地（ストレッチレースを含む）の編地などがあげられる。また、下側部材１０３Ｂに使用される素材は、例えば、パワーネット、トリコット、ダブルラッセル等の経編地、フリーカット素材、レース編地（ストレッチレースを含む）の編地などがあげられる。また、上側部材１０３Ａおよび下側部材１０３Ｂを同じ素材で形成し、例えば、上側部材１０３Ａをたるませることで、上側部材１０３Ａの方が皮膚への追随性が高くなるよう形成することもできる。
【００２４】
本実施形態のブラジャーでは、連結係止部１０７として、ホック（例えば、フック・アンド・アイ（鈎ホック））を使用することができるが、他の種類の係止具を使用してもよい。また、バック部１０３が連結係止部１０７を有していなくてもよい。例えば、連結係止部を前中心に設けてフロントホックタイプとしてもよい。また、バック部を結んで係止するタイプであってもよい。
【００２５】
連結係止部１０７としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００２６】
本実施形態においては、肩ストラップ１０４の一端はカップ部１０１に取り付けられ、他端はバック部１０３の上辺部に取り付けられた円環、Ｚ環、エイト環などの係止具１０８Ａを通って反転し、エイト環からなる長さ調節具１０８Ｂに導入されることによって、肩ストラップ１０４の長さ調整が可能な状態で、肩ストラップ１０４の他端側が、バック部１０３の上辺部に取り付けられている。また、肩ストラップ１０４の一端は、バック部１０３の上辺部に直接固着されても良い。肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。
【００２７】
肩ストラップ１０４は、カップ部１０１を肩から吊り下げるものであればよい。紐や布テープであってもよいし、タンクトップのような幅の広い、いわゆるラウンドタイプのストラップであってもよいが、バストを引き上げる力を大きくするためには、幅の広いタイプのものであることが好ましい。肩ストラップ１０４の態様は、一対のカップ部１０１に対応して一対の肩ストラップ１０４をそれぞれカップ部１０１上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。
【００２８】
本実施形態のブラジャーは、カップ支持部１０２にワイヤー部が設けられているワイヤータイプのブラジャーであってもよいし、ノンワイヤータイプであってもよい。
【００２９】
本実施形態では、上側部材１０３Ａおよび下側部材１０３Ｂが、完全に重なっている部分を有するが、前述のように、本発明はこれに限られない。図５に、本実施形態に係るブラジャー１００の変形例を示す。図５は、前記変形例のバック部１０３の拡大図である。本例では、背中心に至るまで、上側部材１０３Ａと下側部材１０３Ｂとは完全には重ならず、上側部材１０３Ａの下辺縁部および下側部材１０３Ｂの上辺縁部のみが互いに重なっている。また、本例では、バック部１０３は、カップ支持部１０２には直接固着されておらず、土台部１１０の脇側に取り付けられている。本例において、上側部材１０３Ａおよび下側部材１０３Ｂは、図５中に太線で示す、脇側端部Ｌ、背中心側端部Ｕ、および、背中心側端部Ｕに隣接する上辺部Ｕ１で固着されている。前記上辺部Ｕ１は、肩ストラップ１０４との連結部の位置Ｓに近くにある方が、肩ストラップ１０４の引き上げ力を保持できるため、好ましい。
【００３０】
このように、本実施形態では、上側部材１０３Ａと下側部材１０３Ｂとは摺接しつつ、互いに動くことができるため、皮膚の伸びに従ってバック部１０３が追随して動くことができる。その結果、ブラジャーのずり上がりを防止することができ、着崩れしない。また、上側部材１０３Ａと下側部材１０３Ｂとの重なり部１０５の背中心側端部Ｕから、肩ストラップ１０４との連結位置よりも脇側の領域にかけて、上側部材１０３Ａおよび下側部材１０３Ｂが互いに固着されているため、肩ストラップ１０４の引き上げ力も確保することができ、造形力を保つことができる。さらに、上側部材１０３Ａおよび下側部材１０３Ｂは、重なり部１０５を有するため、脇側の肉を押さえる効果が高くなり、バック部１０３による締めつけ力を十分に得ることができる。
【００３１】
以上、第１の実施形態としては、３／４カップのブラジャーを例示して説明したが、本発明は、フルカップや１／２カップのブラジャー等にも適用することができる。
【００３２】
（第２の実施形態）
図６に、本発明のカップ部を有する衣類の一例である、第２の実施形態に係るブラジャー２００のバック部２０３の拡大図を示す。図６（ａ）は、バック部２０３を示す図、図６（ｂ）は、上側部材２０３Ａの図、図６（ｃ）は、下側部材２０３Ｂの図である。
【００３３】
図６（ａ）および図６（ｃ）に示すとおり、本実施形態において、下側部材２０３Ｂは、連結係止部１０７まで延在していない。そして、図６（ａ）に示すとおり、上側部材２０３Ａと下側部材２０３Ｂとは、両者の重なり部２０５の背中心側端部Ｕで、互いに固着されている（固着部２０９）。本実施形態において、重なり部２０５の背中心側端部Ｕは、肩ストラップ１０４とバック部２０３との連結部の位置Ｓよりも脇側に設けられている。その他は、前記第１の実施形態と同様である。
【００３４】
本実施形態では、下側部材２０３Ｂが連結係止部１０７まで延在していないため、上側部材２０３Ａと下側部材２０３Ｂとの固着は、重なり部２０５の背中心側端部Ｕのみで行えばよく、固着工程を短縮することができる。また、前記位置Ｓよりも背中心側の領域において、バック部２０３は生地が重なり合っていないため、より軽い着用感を実現することができる。そして、本実施形態では、背中心側端部Ｕまでしか下側部材２０３Ｂが延在していないため、ゴミが上側部材２０３Ａと下側部材２０３Ｂとの間に溜まり難いという利点もある。なお、背中心側端部Ｕに加えて、隣接する上辺部Ｕ１で上側部材２０３Ａと下側部材２０３Ｂとを固着して固着部２０９を形成してもよい。さらに、下辺部においても、上側部材２０３Ａと下側部材２０３Ｂとが互いに重なる部分を有する場合、上辺部分と下辺部分のみを固着し、固着部２０９が筒状となるように形成するようにしてもよい。
【００３５】
（第３の実施形態）
図７に、本発明のカップ部を有する衣類の第３の実施形態に係るブラジャー３００の斜視図を示す。図７に示すように、本実施形態のブラジャー３００は、土台部３１０を有する。本実施形態では、ブラジャー３００は、土台部３１０を介して、カップ支持部１０２と上側部材３０３Ａおよび下側部材３０３Ｂ（バック部３０３）とが連結されているとともに、土台部３１０を介して、左右のカップ支持部１０２が連結されている。その他は、第１の実施形態と同様である。このように、本発明は、土台部を有するタイプのブラジャーにも適用可能である。
【００３６】
（第４の実施形態）
図８に、本発明のカップ部を有する衣類の第４の実施形態に係るブラジャー４００の背面図を示す。図８に示すように、本実施形態のブラジャー４００は、左右の肩ストラップ４０４、および、左右の肩ストラップ４０４の間のバック部４０３の上辺が、略Ｕ字型を形成している。本実施形態においても、バック部４０３は、上側部材４０３Ａおよび下側部材４０３Ｂを有する。その他は、第１の実施形態と同様である。このように、本発明は、デザインまたは着用感に応じて、様々なバックスタイルを有するブラジャーに適用可能である。
【００３７】
以上、実施の形態の具体例として、ブラジャーをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、水着、レオタード、その他各種のカップ部を有する衣類に適用できる。また、本発明は、例えば、ストラップのバックスタイルがＹ字形状であるスポーツタイプのブラジャー、ストラップレスタイプのブラジャー、ブラキャミソールなどにも適用できる。
【産業上の利用可能性】
【００３８】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００３９】
１００、２００、３００、４００    ブラジャー
１０１    カップ部
１０２    カップ支持部
１０３、２０３、３０３、４０３    バック部
１０３Ａ、２０３Ａ、３０３Ａ、４０３Ａ    上側部材
１０３Ｂ、２０３Ｂ、３０３Ｂ、４０３Ｂ    下側部材
１０４、４０４  肩ストラップ
１０５、２０５  重なり部
１０６    非重なり部
１０７    連結係止部
１０８Ａ  係止具
１０８Ｂ  長さ調節具
１０９、２０９  固着部
１１０、３１０    土台部
Ｓ    連結部位置
Ｔ    上側部材および下側部材の固着位置
Ｕ    重なり部の背中心側端部
Ｕ１  上辺部
Ｌ    重なり部の脇側端部
Ｗ    箇所留め
【図１】
0005978550.tif 000002
【図２】
0005978550.tif 000003
【図３】
0005978550.tif 000004
【図４】
0005978550.tif 000005
【図５】
0005978550.tif 000006
【図６】
0005978550.tif 000007
【図７】
0005978550.tif 000008
【図８】
0005978550.tif 000009
【図９】
0005978550.tif 000010
【図１０】
0005978550.tif 000011